(57)【要約】【課題】魚の当たりがあった場合に釣竿を容易に素早く取り外せてかかった魚に対する竿操作を素早く行うことができ、その釣竿の釣操作性が高まる釣竿を提供することを目的とする。【解決手段】魚の当たりを待つ姿勢で釣竿保持具に竿尻部を保持する釣竿において、上記釣竿１１の竿尻部に釣竿保持具３１の係止部に支持される係合部を有し、該係合部は釣竿１１の単独移動操作のみで上記釣竿保持具３１の係止部から外れる竿解除部を構成したことを特徴とする釣竿である。【選択図】      図６
2009055841.tif 000002
【特許請求の範囲】
【請求項１】
魚の当たりを待つ姿勢で竿尻部を釣竿保持具に保持する釣竿において、魚の当たりを待つ姿勢での釣竿の長手軸方向の竿先側への力に抗して上記釣竿の竿尻部に釣竿保持具の係止部に支持される係合部を有し、該係合部は釣竿を単独で移動させる操作のみで上記釣竿保持具の係止部から外れる竿解除部を設けたことを特徴とする釣竿。
【請求項２】
釣竿の長手軸方向の竿先側とは異なる向きに向けて上記釣竿の竿尻部を動かすことにより上記係合部が上記係止部から外れる位置になることを特徴とする請求項１に記載の釣竿。
【請求項３】
上記係合部は上記釣竿保持具に設けられかつ弾性的に広がり得る開口を有した係止用リング部に対して上記開口を通じて出し入れ自在な連結ピンであることを特徴とする請求項１または請求項２に記載の釣竿。
【請求項４】
上記係合部は上記釣竿保持具に設けられ下向きの開口を有した切欠き部に上記開口を通じて出し入れ自在な連結ピンであることを特徴とする請求項１または請求項２に記載の釣竿。
【請求項５】
上記係合部は上記釣竿保持具に設けられたピンに下側から係合する凹部であることを特徴とする請求項１または請求項２に記載の釣竿。
【請求項６】
上記係合部は上記釣竿の竿尻部に設けた孔と、この孔内に形成された回転面形状の受け座を有し、上記受け座に係合する球状の先端チップを上記孔及び上記受け座に着脱自在であることにより上記釣竿が上記釣竿保持具から外れることを特徴とする請求項１または請求項２に記載の釣竿。
【発明の詳細な説明】
【技術分野】
【０００１】
本発明は魚の当たりを待つ姿勢で釣竿の竿尻部を釣竿保持具に保持する竿回動支持部を設けた釣竿に関する。
【背景技術】
【０００２】
従来から知られる釣竿保持具１は図２２及び図２３に示すように釣竿２の元竿部分を載置する略Ｕ字状の竿掛部３を有した竿掛けアーム４と、釣竿２の竿尻部材５を受け止め支持するために矩形枠状に形成した竿受部６を有した竿受けアーム７とを備える。竿掛けアーム４と竿受けアーム７とは岩場の隙間等に突き刺して設置する支柱８の上部に水平上部アーム８ａを介して取り付けられる。そして釣竿保持具１に釣竿２を保持する場合は図２３に示すように釣竿２のリール装着部より竿尻側の元竿部分をＵ字状の竿掛部３に掛けるとともに竿尻部材５を竿受部６内に差し込む。すると、竿掛部３を支点として穂先側が竿尻側より重くなるために穂先側が下方へ移動しようとし、一方、竿尻側は上方へ移動しようとして釣竿を所定の姿勢で保持する。また、竿尻部材５には上下方向に貫通する孔９ａが設けられ、この孔９ａと同じく竿受部６の上枠に設けられた貫通孔９ｂの両者にわたりピン１０を貫通して装着し、竿尻部材５が竿受部６から外れることを防止する。
【特許文献１】特開２００４−１２９５６９号（段落［0025］〜［0028］の欄参照）
【発明の開示】
【発明が解決しようとする課題】
【０００３】
従来の釣竿は竿受部の上枠に対して竿尻部材をその両者にわたり上下方向に貫通するピンで連結しているので釣竿保持具から竿尻部材を外す際には先にピン等のような止め具を引き抜いたり、釣竿操作以外に止め具の解除操作を行なわなければならず、煩雑な作業を伴う。したがって釣竿保持具から釣竿を素早く外せなかった。釣竿保持具から竿尻部材を素早く抜け難い状況では釣人はその作業に集中せざるを得ず、魚の当たりがあった場合のフッキング操作や針にかかった魚に対する竿操作を素早く有効に対応することができなかった。
【０００４】
本発明は上記事情にもとづいてなされたもので、魚の当たりがあった場合等に釣竿保持具から釣竿を容易に素早く取り外せて魚に対する竿操作を素早く行うことができるとともに釣竿操作性が高い釣竿を提供することを目的とする。
【課題を解決するための手段】
【０００５】
本発明は、魚の当たりを待つ姿勢で竿尻部を釣竿保持具に保持する釣竿において、魚の当たりを待つ姿勢での釣竿の長手軸方向の竿先側への力に抗して上記釣竿の竿尻部に釣竿保持具の係止部に支持される係合部を有し、該係合部は釣竿を単独で移動させる操作のみで上記釣竿保持具の係止部から外れる竿解除部を設けたことを特徴とする釣竿である。  
本発明は、釣竿の長手軸方向の竿先側とは異なる向きに向けて上記釣竿の竿尻部を動かすことにより上記係合部が上記係止部から外れる位置になることを特徴とする請求項１に記載の釣竿である。  
本発明は、上記係合部は上記釣竿保持具に設けられかつ弾性的に広がり得る開口を有した係止用リング部に対して上記開口を通じて出し入れ自在な連結ピンであることを特徴とする請求項１または請求項２に記載の釣竿である。  
本発明は、上記係合部は上記釣竿保持具に設けられ下向きの開口を有した切欠き部に上記開口を通じて出し入れ自在な連結ピンであることを特徴とする請求項１または請求項２に記載の釣竿である。  
本発明は、上記係合部は上記釣竿保持具に設けられたピンに下側から係合する凹部であることを特徴とする請求項１または請求項２に記載の釣竿である。  
本発明は、上記係合部は上記釣竿の竿尻部に設けた孔と、この孔内に形成された回転面形状の受け座を有し、上記受け座に係合する球状の先端チップを上記孔及び上記受け座に着脱自在であることにより上記釣竿が上記釣竿保持具から外れることを特徴とする請求項１または請求項２に記載の釣竿である。
【発明の効果】
【０００６】
本発明によれば、魚の当たりがあった場合に釣竿を容易に素早く取り外せてかかった魚に対する竿操作を素早く行うことができるとともに釣竿操作性が高まる。
【発明を実施するための最良の形態】
【０００７】
図１は本実施形態に係る釣竿１１である。この釣竿１１は穂先側に向けて細径化する複数の竿部材からなり、最も竿尻側に配置される元竿１２と最も穂先側に配置される穂先竿１３と、その元竿１２と穂先竿１３との間に配置される複数の中竿１４とで構成されている。各竿部材の外周面には釣糸を挿通可能なリング状の釣糸ガイド１６が設けられている。元竿１２にはリール装着部１７が設けられている。図２に示すようにリール装着部１７はシート本体部２１と、シート本体部２１の竿尻側に位置して該シート本体部２１に対して固定的に設けられた固定フード２２と、シート本体部２１の穂先側に位置して該シート本体部２１に対して移動自在に設けられた移動フード２３と、移動フード２３を移動させるナット２４とを備える。そしてリール装着部１７に装着された図示しないリールから穂先側に向かって釣糸が引き出され、引き出される釣糸は図１に示した釣糸ガイド１６に挿通して穂先まで案内される。元竿１２はリール装着部１７を含みその前後をグリップ部１８の領域としている。
【０００８】
この釣竿の構造としては並継、インロー継などの形式の他に振り出し式等の形式も採用可能である。竿部材は例えば炭素繊維等の強化繊維にエポキシ樹脂などの合成樹脂を含浸した繊維強化プリプレグを巻回して形成し、その後、熱硬化処理することにより作られる。
【０００９】
また、図２に示すように、元竿１２の竿尻端には尻栓（竿尻部材）を兼ねた腹当て部材２５が設けられ、この部分を竿尻部としている。腹当て部材２５は図４（Ａ）（Ｂ）に示すように元竿１２の竿尻端からその元竿１２内に密に嵌入される略円柱状の嵌込部２６と、元竿１２の竿尻端から外へ突出した腹当て本体２７とが一体に形成されている。腹当て部材２５は例えば合成樹脂、木材または金属等で形成される。本実施形態では金属によって一体に形成されている。腹当て部材２５には図示しない貫通孔を設けてこれに紐等を挿通し、該紐を釣竿保持具や他の固定物または釣人に締結して釣竿が不用意に水中等に落ちてしまうことを防止するようにしてもよい。
【００１０】
図４（Ａ）（Ｂ）に示すように釣竿の腹当て部材２５には元竿１２への嵌込部２６と元竿の竿尻端から外へ突出した腹当て本体２７とを一体に形成している。腹当て本体２７の突出し端部には上下方向に突抜けて後方を開放した切欠部５５を形成し、その切欠部５５の左右には側片部５６がそれぞれ配設されている。この左右の側片部５６には丸棒状の連結ピン５７が上記切欠部５５を水平方向へ横切る左右の向きに架設されている。  
ところで釣竿についての上下左右または水平等の方向や向きについてはその釣竿を使用する釣人の立場から該釣竿の方向や向きを見ることを原則とする。
【００１１】
図３は釣竿を保持する釣竿保持具３１を示した斜視図である。この釣竿保持具３１は釣竿１１の元竿部分を載置する略Ｕ字状の竿掛部３２を有した竿掛けアーム３３と、釣竿１１の腹当て部材２５を支持するために竿受部３４を有した竿受けアーム３５とを備えている。竿掛けアーム３３と竿受けアーム３５とは支持体としての支柱４０の上端に水平上部アーム４０ａを介して取り付けられている。ここで支持体は地面や岩場等に突き刺すピン状の支柱としたが、地面や岩場などの場所に設置する台座または船の舷の上縁等に取り付け得るようにした支持具でもよい。
【００１２】
上記竿受部３４は次の如く構成される。つまり図５に示すように釣竿保持具３１の竿受けアーム３５を上下方向に向いた支柱として形成し、この竿受けアーム３５の途中部分に連結部材５８を取り付けたものである。この連結部材５８は竿受けアーム３５に被嵌して取り付けられるリング部５９と、このリング部５９から前方（釣竿側の向き）へ突出す連結片６０とから構成される。この連結片６０は図６に示すように釣竿の腹当て部材２５における切欠部５５内に入り込める幅と形状と大きさに形成される。
【００１３】
図５に示すように連結片６０はその一部に開口（出入口）６１を有するリング部材からなり、いわゆるＣリング状に形成されている。連結片６０はＣリング状の形態とその弾性を有する素材により開口６１を弾性的に押し広げてその開口の間隔を広げることができる。連結片６０の開口６１の位置は該連結片６０を突き出す方向（釣竿の長手軸方向）である釣竿１１の長手軸方向に該連結片６０の先端に設けられている。開口６１の位置はそれに限らず、例えば連結片６０の突き出す方向に斜めの方向または下方に向けるなど、釣竿１１の長手軸方向以外の向きとすれば魚の当たりを待つ姿勢で釣竿保持具の連結片６０に支持される釣竿の支持力の方向とは異なる向きに該釣竿を移動しないと簡単に外れないようになる。つまり釣竿の支持力の方向とは異なる該特定の向きに釣竿の軸方向を向けたときに外れ易いようになる。そして上記連結片６０は釣竿保持具の係止部となっており、釣竿の連結ピン５７はその係止部に係合する釣竿の係合部となっている。また、上記連結片６０は魚の当たりを待つ姿勢での釣竿の長手軸方向の竿先側への力に抗して上記釣竿の竿尻部に釣竿保持具の係止部に支持され、該係合部は釣竿を単独で移動させる操作のみで上記釣竿保持具の係止部から外れる竿解除機構を備えた竿解除部を構成している。
【００１４】
また、上記連結片６０の開口６１の位置は魚の当たりを待つ姿勢で上記元竿を保持するとき、該元竿から受ける力の方向とは異なる向きとしてもよい。例えば、連結片６０が突き出す方向に斜めの方向または下方に向けて釣竿１１の長手軸方向を避けた向きを含む。また、連結片６０の内径は釣竿１１の連結ピン５７の外径と略等しいかそれ以上のものであってその連結ピン５７の外周に被嵌できる寸法に形成される。
【００１５】
上記開口６１の間隙は自然状態では上記連結ピン５７の外径より小さく、その開口６１を押し広げない限り、開口６１から連結ピン５７を出し入れできない（図７（Ａ）の状態を参照）。しかし、その保持力に抗して釣竿１１を前方へ引き抜く操作で連結ピン５７によって図７（Ｂ）に示すようにその開口６１は押し広がり、該開口６１から連結ピン５７が抜け、連結片６０から釣竿１１を外せる。つまり連結ピン５７は連結片６０から着脱可能な着脱機構部となり、また、釣竿を単独で移動させる操作のみで釣竿保持具の係止部から外れる釣竿の竿解除部を構成する。そしてこのような竿解除部の構成によれば釣竿自体を操作するだけで釣竿保持具から釣竿を簡単に素早く外せるとともに釣竿保持具に釣竿を取り付けることも簡単である。また、この竿解除部によればピン等の別部材の取付け操作や引き抜き操作等の手作業が必要な解除操作を必要とせず、釣竿１１自体を操作するだけで釣竿保持具から釣竿を素早く簡単に外せる。したがって魚の当たりがあった場合、フッキングを即座に出来、その後、釣竿を釣竿保持具から素早く取り外せて、かかった魚に対する竿操作を素早く行うことができる。
【００１６】
そして本実施形態に係る釣竿を使用する場合は図６に示すように左右の側片部５６の間に連結片６０を差し込むようにして開口６１から連結片６０の内部に連結ピン５７を取り込むようにして接続する。この際に開口６１は弾性的に広がり、連結ピン５７を連結片６０の内部に取り込む。連結ピン５７が連結片６０の内部に取り込まれた後に開口６１は窄まり連結ピン５７の抜けを阻止する機能を発揮する。また、釣竿の連結ピン５７は連結片６０に嵌り、釣竿１１の腹当て部材２５を竿受部３４に該釣竿１１を上下方向へ回動自在に支持する竿回動支持部を構成する。これにより釣竿１１を上下方向へ回動自在に竿受部３４に支持できる。このように釣竿１１を連結ピン５７によって竿受部３４に回動自在に支持するようにしたので釣竿保持具３１に保持した状態で連結ピン５７を中心として釣竿１１の穂先側を持ち上げるフッキングが可能である。よって竿受部３４に釣竿１１を連結したまま、釣竿１１の穂先側を持ち上げるフッキングを直ちに行うことが可能である。
【００１７】
また、竿受部３４に釣竿１１を連結したままでのフッキングが済めば、竿受部３４から釣竿１１を取り外して釣竿１１を上下左右に大きく操作できる。したがって魚の当たりを感じた後に素早くフッキング操作を行ったのち釣竿を手に持って操作できるので石鯛釣のように大型の魚を釣る際の針の喰込みを促すチャンスを逃すことなく素早く対応し、かつ竿操作を行うことができる。
【００１８】
そして本実施形態に係る釣竿を使用する場合、図３に示すように釣竿の竿尻部である腹当て本体２７は連結ピン５７により竿受部３４に枢着し、そして釣竿１１の元竿部分を下げて略Ｕ字状の竿掛部３２に掛けて載置する。この釣竿の保持状態では竿掛部３２を支点として釣竿の穂先側が竿尻側より重くなるために穂先側が下方へ移動しようとし、竿尻側は上方へ移動しようとして竿受部３４に受け止められ、釣竿１１は魚の当たりを待つ所定の姿勢で釣竿保持具に安定して保持される。
【００１９】
そして竿受部３４に釣竿１１を連結したままでも釣竿１１はその穂先側を持ち上げて上下方向に回動できる。したがって魚の当たりがあった場合、竿受部３４に釣竿１１を連結したままで穂先側を持ち上げるフッキング操作をその魚の当たりを感じた後に直ちに行うことが可能である。石鯛釣のように大型の魚を釣る際に針の喰込みを促すためにフッキング操作はきわめて重要であるが、本実施形態の釣竿は該釣竿を釣竿保持具に保持したままでも穂先側を持ち上げるフッキング操作が可能であるため、魚の当たりがあった場合、にチャンスを逃すことなく素早いフッキングができる。
【００２０】
図８及び図９は本実施形態に係る釣竿の更に異なる他の例を示す。先に述べた実施形態におけるものと同様な構成についてはその説明を原則として省略するとともに同一の符号を使用する。ここでの釣竿１１は図４に示すものと同様な構成でよい。また、釣竿保持具は連結部材５８の連結片６０を除き、図５及び図６に述べたものと同様な構成でよい。図８に示すように連結部材５８の連結片６０には下方に向いて開口する切欠部６５が設けられ、その切欠部６５は上下方向に連結片６０の左右幅及び前後幅よりも長く形成されている。切欠部６５の上下方向への切込み長さは該切欠部６５に差し込まれる後述する連結ピン５７の径よりも大きい。このため、該切欠部６５に差し込まれた連結ピン５７が多少動いても不用意に該切欠部６５から外れ難い。また、切欠部６５の間隙はその切欠部６５に嵌め込む腹当て部材２５の連結ピン５７の径と同じかそれよりも大きい。したがって切欠部６５にはその下側から上記連結ピン５７を出し入れできる。切欠部６５には釣竿から受ける力の方向とは異なる方向である連結部材５８の下側から腹当て部材２５の連結ピン５７を出し入れ可能である。そして図９に示したように連結ピン５７を連結片６０に連結した釣竿の保持状態で該釣竿１１はその連結ピン５７の中心軸廻りに竿先側部分が上下方向への回動可能である。つまり連結ピン５７は連結片６０の切欠部６５に嵌り込んだ状態で釣竿１１の腹当て部材２５を竿受部３４に支持できる竿回動支持部を構成する。
【００２１】
そして釣竿１１を釣竿保持具から外す場合、腹当て部材２５を押し下げると、切欠部６５から連結ピン５７が抜け出て釣竿１１側の連結ピン５７を連結片６０から簡単に外せる。ここで連結ピン５７は釣竿の係合部となり、一方、切欠部６５はそれを係止する係止部となり、その係止支持力の向きの逆向きに連結ピン５７を下げる釣竿操作を行うことによりその係合を解除できる竿解除部を構成する。この釣竿の着脱時にはピン等の別部材を操作する必要がなく、釣竿自体を操作するだけで釣竿保持具から釣竿を簡単に着脱できる。したがって釣竿保持具から釣竿１１を簡単かつ素早く外せるようになる。また、連結ピン５７によって釣竿１１を竿受部３４に回動自在に支持するようにしたので釣竿保持具３１に保持した状態でも釣竿１１は連結ピン５７を中心として該釣竿の穂先側を持ち上げるフッキングが可能である。
【００２２】
図１０乃至図１３は釣竿の更に異なる他の例を示す。先に述べた実施形態におけるものと同様な構成についてはその説明を原則として省略するとともに同一の符号を使用する。釣竿１１は上述した場合と同様な構成でよいが、この実施形態では図１０（Ａ）（Ｂ）に示すように腹当て本体２７の突出し端部に上下方向に突抜けて後方を開放した切欠部５５を形成し、この切欠部５５の左右に位置する側片部５６の上面には後述する釣竿保持具の連結ピン７１を受ける係合部としての凹部６７を設ける。該凹部６７は図１０（Ａ）に示すように左右に突抜けるとともに上方に向けて開口した凹溝からなる受部を形成するものである。そして凹部６７は後述する釣竿保持具の連結ピン７１に回動自在に係合して該連結ピン７１に対して釣竿１１を回動自在に支持する竿回動支持部を構成する。また、凹部は釣竿保持具における竿受部３４の連結ピン７１が出し入れ自在に嵌め込まれ、釣竿を受け止め支持する。また、凹部は竿尻部に上方に向けて開口しているとともに魚の当たりを待つ姿勢での釣竿の長手軸方向に交差して直交する上方に向けて開口している。そして凹部には図１２に示すように釣竿保持具における竿受部側の係止部としての連結ピン７１を嵌め込み、凹部は釣竿保持具の連結部材に係止する。
【００２３】
上記釣竿保持具の竿受部３４は図１１に示すように竿受けアーム３５の途中に取り付けたリング部４８と、このリング部４８から釣竿側前方へ突出した連結片４９とを含み、連結片４９には左右水平方向に突出した上記連結ピン７１を設けることにより釣竿を連結する連結部材を構成している。図１１に示すように連結片４９はその側面となる片（板）面が上下方向へ向いて配置され、この連結片４９は図１１に示すように釣竿１１の腹当て部材２５における切欠部５５内に嵌め込み可能である。そして図１２に示すように切欠部５５内に連結片４９を嵌め込んだ状態で上記連結ピン７１が釣竿１１の凹部内に入り込み、上記連結ピン７１は左右の側片部５６の上面にわたりその側片部５６を支持して腹当て本体２７を受け止める。これにより釣竿の穂先側が上下に振れる向きに上記竿尻部を回動自在に支持する竿移動用回動支持部を構成する。また、凹部６７は釣竿の長手軸方向の竿先側の方向とは異なる向き、つまり連結ピン７１に対して下側から当たりその連結ピン７１に係止する。したがって釣竿１１の腹当て部材２５を下向きに移動させれば連結ピン７１から腹当て部材２５を取り外すことができる。ここでは魚の当たりを待つ姿勢で該竿受部が元竿から受ける力の方向とは異なる向きに該竿受部に支持する元竿を移動することで元竿は釣竿保持具の竿受部から外れるようにした竿解除部を構成している。
【００２４】
また、図１０（Ａ）に示すように上記凹部６７を形成する凹溝は穂先側の壁面が傾斜しており、竿尻側の壁面は釣竿の長手軸方向に略垂直である。このため、釣竿の長手軸方向において穂先側に釣竿を引いても連結ピン７１に対する受部の係合状態を維持できるとともにその受部の凹溝はその開口が広くなっているので連結ピン７１から外し易い。そして図１３（Ａ）（Ｂ）に示すように連結ピン７１に対して釣竿の腹当て部材２５を押し下げることで釣竿を外すことができる。そして釣竿を穂先側へ移動すると完全に抜去できる。つまりこの竿解除部により釣竿自体を操作することで釣竿保持具から釣竿１１を素早く簡単に外せる。また、釣竿保持具に釣竿を簡単に取り付けることもできる。
【００２５】
図１４（Ａ）（Ｂ）は釣竿の更に異なる他の例を示す。先に述べた実施形態におけるものと同様な構成についてはその説明を原則として省略するとともに同一の符号を使用する。ここでの釣竿保持具は図４乃至図７に示した釣竿保持具を変形したものである。つまり釣竿１１の腹当て本体２７の突出し端部に設けた連結ピン５７の横断面形状を扁平な形状とし、その扁平な薄い形の部分の厚さを竿受部３４のＣリング状の形態とした連結片６０の開口６１の幅内に設定した。係合部としての連結ピン５７の扁平な薄い部分は該連結ピンの対向する周面部分を切り欠いて平行な平坦面を形成したものであり、その平坦面の面方向つまり扁平な部分の扁平方向は水平方向に対して平行ではなく、略突出し側（竿の穂先側）が下側に位置するように斜めに傾斜する。そして連結片６０の開口６１の位置は水平方向な前方中央に位置して開口する。
【００２６】
したがって図１４（Ａ）に示すように魚の当たりを待つ姿勢で釣竿１１を釣竿保持具に保持する場合では係止部としての連結片６０の開口６１とその扁平な部分の端部はずれる。そして連結ピン５７は連結片６０に係止し、連結ピン５７は開口６１から簡単に外れない状態にある。また、釣竿の長手軸方向の竿先側の方向とは異なる上向きに釣竿を持ち上げると、図１４（Ｂ）に示すように連結ピン５７の先端側部分と開口６１の位置が一致し、この状態で上記釣竿の竿尻部を前方に動かすことにより外れる。なお、連結ピン５７の扁平な部分の扁平な向きと連結片６０の開口６１の向きは釣竿保持具に保持する釣竿の姿勢でずれ、釣竿を引き上げると一致する関係にあれば他の向きの関係にあってもよい。
【００２７】
図１４（Ｂ）に示すように竿先側を持ち上げて釣竿１１を上側へ回動すると、連結ピン５７の扁平な端部の向きが連結片６０の開口６１に一致し、釣竿１１を持ち上げた姿勢で釣竿１１を前方側に引くと、竿受部３４から容易に外せる。したがって魚の当たりがあった場合に穂先側を持ち上げるフッキングを素早く行なうことができる。同時に竿受部３４から釣竿１１を外す操作も一連の操作として素早く連続的に操作できる。この一連の操作は釣竿自体を操作するだけで済む。そして釣竿の竿先側が上下に振れる向きに上記元竿の竿尻部を回動自在に支持するとともに元竿を移動することで釣竿保持具の竿受部から元竿を外せる竿解除部を構築する。連結ピン５７の扁平な部分との向きと連結片６０の開口６１の向きは釣竿保持具に保持する釣竿の姿勢でずれ、釣竿を引き上げると一致する関係にあれば他の向きの関係にあってもよい。
【００２８】
図１５及び図１６は更に異なる他の例を示す。先に述べた実施形態におけるものと同様な構成はその説明を原則として省略するとともに同一の符号を使用する。この実施形態では釣竿１１における腹当て本体２７の後端部領域おける上面部にその一部を左右方向に沿って左右方向に突抜けて矩形の溝状に切欠いた上向きに開口した凹部８５を形成し、この凹部８５内に回動体８６を配置する。回動体８６は例えば円板状の部材によって形成される。また、回動体８６は上記凹部８５の底部から上方向に延びた回動軸８７に枢着され、水平方向に回動できるように腹当て本体２７に取り付けられている。回動体８６の上面部には図１５（Ａ）（Ｂ）（Ｃ）に示すように左右に突抜けた凹溝を形成し、この凹溝によって図１１〜１３で示した前述した実施形態の竿受部３４の係止部としての連結ピン７１を嵌め込んでその連結ピン７１を受け止める係合部としての受部８８を形成する。この受部は釣竿の上方に向けて開口した係合凹部を形成することにより上記釣竿の竿先側を上下方向へ振れるように釣竿保持具に回動自在に支持する竿回動支持部を構成する。連結ピン７１から係合部を外すためには魚の当たりを待つ姿勢での釣竿の長手軸方向に交差する下側へ竿尻部を移動すればよい。
【００２９】
図１６に示すように竿受部３４は下枠３７と左枠３８と右枠３９を有し、下枠３７の部分が竿受けアーム３５を介して支柱４０に固定されている。竿受部３４の左枠３８と右枠３９には図４及び図６に示す連結ピン７１が概ね水平に位置して竿受部３４の左枠３８と右枠３９に対して固定的に架設されている。釣竿１１は回動体８６の受部８８によって連結ピン７１を受け止めて竿受部３４に対して支持され、受部８８は釣竿の移動操作のみで上記釣竿保持具の連結ピン７１から外れる竿解除部を構成している。
【００３０】
ここでは回動体８６の受部８８に竿受部３４の連結ピン７１を嵌め込んで釣竿１１を保持し、釣竿の竿尻部は釣竿の穂先側が上下に振れる向きに回動自在に支持される。そして釣竿の竿尻部には釣竿の穂先側が上下に振れる向きに支持する竿回動支持部を構成する。また、回動体８６が回動して釣竿の穂先側が水平方向へ左右に振れるように支持し、竿受部３４に支持された釣竿の竿先側を水平方向へ左右に移動自在に上記元竿の竿尻部を支持する竿回動支持部を同時に構成している。
【００３１】
また、回動体８６の受部８８は連結ピン７１に対して下側から当たりその連結ピン７１に対して係止するので釣竿１１の腹当て部材２５を下向きに移動させれば連結ピン７１から腹当て部材２５を直ちに簡単に取り外すことができる。これにより竿受部３４は魚の当たりを待つ姿勢で該竿受部３４が元竿から受ける力の方向とは異なる向きに該竿受部３４に支持する元竿自体を移動するだけで元竿が竿受部３４の受部８８から外れる竿解除部を構成する。
【００３２】
また、図１５（Ａ）（Ｂ）（Ｃ）に示すように回動体８６の受部８８は穂先側の壁面が傾斜しており、竿尻側の壁面は釣竿の長手軸方向に略垂直であるので釣竿の長手軸方向において穂先側に釣竿を引いても連結ピン７１に対する受部の係合状態を維持できる一方、その受部の開口が前方に広くなっているために連結ピン７１に対して釣竿の腹当て部材２５を押し下げることで釣竿を簡単に外すことができる。そして釣竿を穂先側へ移動すると釣竿保持具の竿受部から完全に抜去できる。
【００３３】
図１７乃至図１９は釣竿の更に異なる他の例を示す。先に述べた実施形態におけるものと同様な構成についてはその説明を原則として省略するとともに同一の符号を使用する。この実施形態における釣竿１１の元竿１２における竿尻端には尻栓（竿尻部材）を兼ねた腹当て部材２５が設けられている。この腹当て部材２５の竿尻端から外へ突出した腹当て本体２７における後端部領域には後述する釣竿保持具の竿受部３４に対して着脱自在に接続するための係合部として接続部９０が構成されている。
【００３４】
一方、図１８に示す釣竿保持具の竿受部３４は上記接続部９０を係止する係止部として構成される。つまり竿受けアーム３５を支柱として形成し、この支柱の途中に連結部材４７を取り付ける。連結部材４７は竿受けアーム３５に被嵌するリング部４８と、このリング部４８から釣竿側の前方へ突出す連結アーム９１と、この連結アーム９１の突出し先端に取着された軸体としての球状の先端チップ９２とから構成される。先端チップ９２の径は連結アーム９１の径よりも大きい。
【００３５】
図１７（Ａ）（Ｂ）（Ｃ）（Ｄ）に示すように上記釣竿１１の接続部９０には左右方向に貫通したチップ出入用孔９３と、このチップ出入用孔９３内の中間部位に形成された例えば球面状または円錐状などの球状の軸面を有する軸体を回動自在に受け得るいわゆる幾何学的回転面形状の係合用受け座９４と、この係合用受け座９４に対して回動自在に係合する先端チップ９２の中心から上下左右にそれぞれ延びた放射十字状のスリット９５とが形成されている。各スリット９５の幅は連結アーム９１の上下及び左右の径より大きく、また、先端チップ９２の径よりも小さい。更に釣竿１１の接続部９０には係合用受け座９４から腹当て本体２７における後端部領域に至り、上記係合用受け座９４の軸受け中心を頂点とする円錐状の切り欠き開口部９６が形成され、更に先端チップ９２を中心とする連結アーム９１の回動を許容するとともに、その切り欠き開口部９６の内面によって先端チップ９２を中心とする連結アーム９１の回動範囲θの両終端を規制するストッパを構成している。つまり釣竿１１の接続部９０には上記釣竿の竿先側を上下方向及び左右方向を含み、また斜め方向へも振れるように釣竿保持具に釣竿１１を回動自在に支持する竿回動支持部を構成する。したがって上記接続部は魚の当たりを待つ姿勢での釣竿の長手軸方向の竿先側への力に抗して上記釣竿の竿尻部に釣竿保持具の係止部に支持される係合部を構成しているとともに釣竿保持具から釣竿を釣竿自体の操作で外せる竿解除部を構成する。
【００３６】
また、係合用受け座９４には釣竿保持具の竿受部３４の先端チップ９２を係合し、先端チップ９２それ自身の中心を回動中心として釣竿を回動可能に竿受部３４に釣竿を支持する。つまり釣竿１１の接続部９０には竿受部に支持された釣竿の竿先側が上下に振れる向きに元竿の竿尻部を支持する竿回動支持部と、竿先側を水平方向へ移動自在に元竿の竿尻部を支持する竿回動支持部とを構成する。また、この竿回動支持部は釣竿を斜め方向へも振れるように釣竿を支持する。したがって本実施形態の竿回動支持部は釣竿の回動方向が上下方向及び左右方向を含みそれ以外の向きにも回動可能であるために釣竿の竿先側を上下及び水平な方向のみならず、それ以外の向きにも回動可能であるため、釣竿を多くの方向に移動させる竿操作性能を高めることができる。
【００３７】
本実施形態に係る釣竿は以上の如く構成され、これを使用する場合は釣竿１１における腹当て部材２５のチップ出入用孔９３に竿受部３４の先端チップ９２を差し込んで係合用受け座９４に嵌め込む。そして連結アーム９１をスリット９５に通すことによりそのスリットを通り抜けて切り欠き開口部９６内の係合用受け座９４に先端チップ９２を位置させることができる（図１９参照）。また、その逆の操作により竿受部３４から釣竿１１を取り外すことができる。竿受部３４に釣竿１１を取り付けた後、釣竿１１の元竿部分を下げて略Ｕ字状の竿掛部に掛けて載置すると、釣竿１１は魚の当たりを待つ所定の姿勢で釣竿保持具に保持される。
【００３８】
先端チップ９２は係合用受け座９４に対して上下左右の方向を含むそれ以外の方向にも回動できるため、魚の当たりがあった場合、釣竿の穂先側を持ち上げるフッキングはもちろん釣竿の穂先側を左右に移動する操作も可能であり、その竿操作を竿受部３４に釣竿１１を連結したまま魚の当たりを感じたら素早く行うことが可能になる。針の喰込みを促すためにフッキング操作や竿移動は石鯛釣のように大型の魚を釣る際に重要であるが、本実施形態の釣竿は魚の当たりがあった場合に釣竿保持具に釣竿を保持したままでも穂先側を持ち上げるフッキング操作等の竿操作を釣竿保持具から釣竿を外すことなく素早く対応できる。また、それだけではなく、釣竿を簡単に取り外せる。したがって魚の当たりがあった場合に直ちにフッキングが可能であり、その後に釣竿保持具から釣竿を素早く取り外せてかかった魚に対する竿操作を連続的に素早く行うことができる。
【００３９】
図２０及び図２１は釣竿の更に異なる他の例を示す。先に図１７乃至図１９に基づいて述べた実施形態では釣竿保持具の竿受部３４に連結アーム９１及び先端チップ９２を設けるようにしたが、この実施形態では連結アーム９１と先端チップ９２を、釣竿１１の元竿１２における腹当て部材２５に組み込み、釣竿１１側に装着しておくようにしたものである。
【００４０】
連結アーム９１の突出し端部には釣竿保持具の竿受部３４に対して着脱自在に接続する連結部としてのリング部１０１を設ける。一方、釣竿保持具の竿受部３４は図２１に示すように鉛直な支柱として形成した竿受けアーム３５の途中に連結部材４７を取り付ける。この連結部材４７は竿受けアーム３５に被嵌するリング部４８と、このリング部４８から釣竿側への前方へ突出した一対の連結片４９とを含み構成される。図２１に示すように一対の連結片４９はその間に上下方向へ突抜けた切欠き状の隙間１０２を形成し、この隙間に上記釣竿１１側のリング部１０１を差し込んで配置できるようになっている。連結片４９には水平方向に一致する同軸上に位置して左右に貫通して形成されるピン差込み孔１０３が形成され、図２１に示すようにピン差込み孔１０３及びリング部１０１の孔部にわたり連結ピン１０４を差し込むことにより上記釣竿１１側のリング部１０１を釣竿保持具の竿受部３４に対して接続できる。連結ピン１０４は抜差し自在であるため、釣竿１１側のリング部１０１を釣竿保持具の竿受部３４に対して着脱できる。
【００４１】
そして上述した構成により釣竿保持具から釣竿１１を釣竿自体の操作で外せる竿解除部を構成する。その他の構成は上述した図１７乃至図１９に基づいて述べた実施形態のものと同様に構成できる。同一の符号を使用してその説明を省略する。
【００４２】
本発明は上記実施の形態に限ることなく、本発明の要旨を逸脱しない範囲で種々の変形が可能である。また、上記実施の形態には種々の段階の発明が含まれており、上記実施の形態に示された事項の適宜な組み合わせの発明が抽出される。
【図面の簡単な説明】
【００４３】
【図１】本実施形態に係る釣竿の側面図。
【図２】上記釣竿の元竿付近を拡大して示す側面図。
【図３】上記釣竿を釣竿保持具に接続する使用状態を説明する斜視図。
【図４】他の釣竿の竿尻部の例であり、（Ａ）はその腹当て部材を取り付けた上記釣竿の竿尻部を一部縦断して示す側面図、（Ｂ）は同じく腹当て部材を取り付けた上記釣竿の竿尻部を一部縦断して示す下面図。
【図５】上記釣竿の竿尻部を組み付ける釣竿保持具の竿受部の斜視図。
【図６】上記釣竿保持具の竿受部に上記釣竿の竿尻部を組み付けた状況を示す斜視図。
【図７】（Ａ）は上記釣竿保持具の竿受部に上記釣竿の竿尻部を組み付けた状態での縦断面図、（Ｂ）は上記釣竿保持具の竿受部から上記釣竿の竿尻部を取り外す状態での縦断面図。
【図８】他の釣竿保持具の竿受部の斜視図。
【図９】上記竿受部に釣竿の竿尻部を組み付ける状況を示す斜視図。
【図１０】他の釣竿の竿尻部の例であり、（Ａ）はその腹当て部材を取り付けた上記釣竿の竿尻部を一部縦断して示す側面図、（Ｂ）は同じく腹当て部材を取り付けた上記釣竿の竿尻部を一部縦断して示す下面図。
【図１１】上記釣竿の竿尻部を組み付ける釣竿保持具の竿受部の斜視図。
【図１２】上記竿受部に釣竿の竿尻部を組み付けた状況を示す斜視図。
【図１３】（Ａ）は上記釣竿保持具の竿受部に上記釣竿の竿尻部を組み付けた状態での縦断面図、（Ｂ）は上記釣竿保持具の竿受部から上記釣竿の竿尻部を取り外す状態での縦断面図。
【図１４】（Ａ）は他の釣竿保持具の竿受部に釣竿の竿尻部を組み付けた状態での縦断面図、（Ｂ）は上記釣竿保持具の竿受部から上記釣竿の竿尻部を取り外す状態での縦断面図。
【図１５】他の釣竿の竿尻部の例であり、（Ａ）はその腹当て部材を取り付けた上記釣竿の竿尻部の一部縦断して示す平面図、（Ｂ）は同じく腹当て部材を取り付けた上記釣竿の竿尻部の一部を縦断して示す側面図、（Ｃ）は（Ａ）中のＣ−Ｃ線に沿う上記釣竿の竿尻部の縦断面図、（Ｄ）は腹当て部材を取り付けた上記釣竿の竿尻部を示す下面図。
【図１６】上記竿受部に釣竿の竿尻部を組み付ける状況を示す斜視図。
【図１７】他の釣竿の竿尻部の例であり、（Ａ）はその腹当て部材を取り付けた上記釣竿の竿尻部を一部縦断して示す平面図、（Ｂ）は同じく腹当て部材を取り付けた上記釣竿の竿尻部の一部を一部縦断して示す側面図、（Ｃ）は（Ａ）中のＣ−Ｃ線に沿う上記釣竿の竿尻部の縦断面図、（Ｄ）は（Ａ）中のＤ−Ｄ線に沿う上記釣竿の竿尻部の縦断面図。
【図１８】上記釣竿の竿尻部を組み付ける竿受部の斜視図。
【図１９】上記竿受部に釣竿の竿尻部を組み付けた状況を示す斜視図。
【図２０】他の釣竿の竿尻部の例であり、（Ａ）はその腹当て部材を取り付けた上記釣竿の竿尻部を一部縦断して示す平面図、（Ｂ）は同じく腹当て部材を取り付けた上記釣竿の竿尻部を一部断面して示す側面図、（Ｃ）は（Ａ）中のＣ−Ｃ線に沿う上記釣竿の竿尻部の縦断面図。
【図２１】上記釣竿の竿尻部を組み付ける竿受部の斜視図。
【図２２】従来の釣竿保持具の斜視図。
【図２３】同じくその従来の釣竿保持具の使用状態の側面図。
【符号の説明】
【００４４】
１１…釣竿
２７…腹当て本体
３１…釣竿保持具
５７…連結ピン
６０…連結片
【図１】
2009055841.tif 000003
【図２】
2009055841.tif 000004
【図３】
2009055841.tif 000005
【図４】
2009055841.tif 000006
【図５】
2009055841.tif 000007
【図６】
2009055841.tif 000008
【図７】
2009055841.tif 000009
【図８】
2009055841.tif 000010
【図９】
2009055841.tif 000011
【図１０】
2009055841.tif 000012
【図１１】
2009055841.tif 000013
【図１２】
2009055841.tif 000014
【図１３】
2009055841.tif 000015
【図１４】
2009055841.tif 000016
【図１５】
2009055841.tif 000017
【図１６】
2009055841.tif 000018
【図１７】
2009055841.tif 000019
【図１８】
2009055841.tif 000020
【図１９】
2009055841.tif 000021
【図２０】
2009055841.tif 000022
【図２１】
2009055841.tif 000023
【図２２】
2009055841.tif 000024
【図２３】
2009055841.tif 000025